(57)【要約】【課題】  本発明は、複数の階段ユニットを用いて階段を組み立てることにより、現場での作業時間を短縮したユニット組立式の鉄骨階段を提供することを課題とする。【解決手段】  廻り階段を３分割して上直階段ユニットと廻り階段ユニットと下直階段ユニットで構成し、前記３分割した上直階段ユニットと廻り階段ユニットと下直階段ユニットを、Ｈ形鋼で形成した２本の第１支柱と第２支柱にボルトとナットで固定して廻り階段を構成したことを特徴とする３分割ユニット組立式の鉄骨階段を提供する。【選択図】図１
2019124104.tif 000002
【特許請求の範囲】
【請求項１】
折り返し部を１８０°折り返すように構成した廻り階段において、廻り階段を３分割して上直階段ユニットと廻り階段ユニットと下直階段ユニットで構成し、前記３分割した上直階段ユニットと廻り階段ユニットと下直階段ユニットを、Ｈ形鋼で形成した２本の第１支柱と第２支柱にボルトとナットで固定して廻り階段を構成したことを特徴とする３分割ユニット組立式の鉄骨階段。
【請求項２】
廻り階段ユニットの廻り踏板を５ツ割りで構成し、廻り階段ユニットを第１支柱に固定するため、３枚の長方形をした平板鋼板を溶接により接合してコの字形側板を形成し、前記コの字形側板の両端部を長方形で複数の穴を開けた側板固定鋼板に溶接により接合すると共に、第１支柱の縦２本のフランジ端部に長方形で複数の穴を開けた支柱固定鋼板を溶接により接合し、側板固定鋼板と支柱固定鋼板をボルトとナットで固定したことを特徴とする請求項１に記載の３分割ユニット組立式の鉄骨階段。
【請求項３】
上直階段ユニットの上直階段内側側板を、Ｈ形鋼で形成した第１支柱と第２支柱のフランジにボルトとナットで固定すると共に、上直階段外側側板の下端外面に垂直に複数の穴を開けた平板鋼板の側板固定鋼板を溶接により接合し、廻り階段ユニットの外側側板の上端に垂直に開けた複数の穴と前記側板固定鋼板に開けた穴を当接させボルトとナットで固定したことを特徴とする請求項１に記載の３分割ユニット組立式の鉄骨階段。
【請求項４】
下直階段ユニットの下直階段内側側板を、Ｈ形鋼で形成した第１支柱と第２支柱のフランジにボルトとナットで固定すると共に、下直階段外側側板の上端外側に垂直に複数の穴を開けた平板鋼板の側板固定鋼板を溶接により接合し、廻り階段ユニットの外側側板の下端に垂直に開けた複数の穴と前記側板固定鋼板に開けた穴を当接させボルトとナットで固定したことを特徴とする請求項１に記載の３分割ユニット組立式の鉄骨階段。
【発明の詳細な説明】
【技術分野】
【０００１】  本発明は、鉄骨階段を分割して構築するユニット式階段に関するものである。
【背景技術】
【０００２】  従来より、建物の屋外に設置する高層建築物用の鉄骨階段は、支柱に複数の支持梁を取り付け、支持梁同士の間に側板を上下方向に傾斜状に架設し、前記側板に複数の踏板を階段状に取り付けて階段部を形成すると共に、支持梁に平板鋼板を取り付けて踊り場を形成していた。【０００３】  このように従来の鉄骨階段は、支持支柱、側板、踏板等の部材を現場で組み立てることが必要であった。
【発明の概要】
【発明が解決しようとする課題】
【０００４】  ところが、上記のような従来の階段は、複数の部材を現場で組み付けていたため、組立作業が煩雑になり、組み立て作業に多大な労力と時間を要していた。【０００５】  さらに複数の部材を組み立てるため、一部の部材の組み付けに不備があると、階段全体の強度が低下して安全性を損なうおそれがあった。【０００６】  本発明は、上記の事情に鑑みてなされたもので、複数の階段ユニットを用いて階段を組み立てることにより、現場での組立作業時間を短縮したユニット組立式の鉄骨階段を提供することを課題とするものである。
【課題を解決するための手段】
【０００７】  かかる課題を解決するため、請求項１に記載の発明は、折り返し部を１８０°折り返すように構成した廻り階段において、廻り階段を３分割して上直階段ユニットと廻り階段ユニットと下直階段ユニットで構成し、前記３分割した上直階段ユニットと廻り階段ユニットと下直階段ユニットを、Ｈ形鋼で形成した２本の第１支柱と第２支柱にボルトとナットで固定して廻り階段を構成したことを特徴とする。【０００８】  請求項２に記載の発明は、請求項１に記載の構造に加え、廻り階段ユニットの廻り踏板を５ツ割りで構成し、廻り階段ユニットを第１支柱に固定するため、３枚の長方形をした平板鋼板を溶接により接合してコの字形側板を形成し、前記コの字形側板の両端部を長方形で複数の穴を開けた側板固定鋼板に溶接により接合すると共に、第１支柱の縦２本のフランジ端部に長方形で複数の穴を開けた支柱固定鋼板を溶接により接合し、側板固定鋼板と支柱固定鋼板をボルトとナットで固定したことを特徴とする。【０００９】  請求項３に記載の発明は、請求項１に記載の構造に加え、上直階段ユニットの上直階段内側側板を、Ｈ形鋼で形成した第１支柱と第２支柱のフランジにボルトとナットで固定すると共に、上直階段外側側板の下端外面に垂直に複数の穴を開けた平板鋼板の側板固定鋼板を溶接により接合し、廻り階段ユニットの外側側板の上端に垂直に開けた複数の穴と前記側板固定鋼板に開けた穴を当接させボルトとナットで固定したことを特徴とする。【００１０】  請求項４に記載の発明は、請求項１に記載の構造に加え、下直階段ユニットの下直階段内側側板を、Ｈ形鋼で形成した第１支柱と第２支柱のフランジにボルトとナットで固定すると共に、下直階段外側側板の上端外側に垂直に複数の穴を開けた平板鋼板の側板固定鋼板を溶接により接合し、廻り階段ユニットの外側側板の下端に垂直に開けた複数の穴と前記側板固定鋼板に開けた穴を当接させボルトとナットで固定したことを特徴とする。
【発明の効果】
【００１１】  請求項１に記載の発明によれば、折り返し部を１８０°折り返すように構成した廻り階段において、廻り階段を３分割して上直階段ユニットと廻り階段ユニットと下直階段ユニットで構成し、前記３分割した上直階段ユニットと廻り階段ユニットと下直階段ユニットを、Ｈ形鋼で形成した２本の第１支柱と第２支柱にボルトとナットで固定して廻り階段を構成したことにより、工場で組み立て加工精度の高い階段ユニットを製造することが出来るようになり、現場での階段組立作業時間を短縮させることが可能となった。【００１２】  請求項２に記載の発明によれば、廻り階段ユニットの廻り踏板を５ツ割りで構成し、廻り階段ユニットを第１支柱に固定するため、３枚の長方形をした平板鋼板を溶接により接合してコの字形側板を形成し、前記コの字形側板の両端部を長方形で複数の穴を開けた側板固定鋼板に溶接により接合すると共に、第１支柱の縦２本のフランジ端部に長方形で複数の穴を開けた支柱固定鋼板を溶接により接合し、側板固定鋼板と支柱固定鋼板をボルトとナットで固定したことにより、現場で廻り階段ユニットを簡単に第１支柱に頑強に固定することが可能となった。【００１３】  請求項３に記載の発明によれば、上直階段ユニットの上直階段内側側板を、Ｈ形鋼で形成した第１支柱と第２支柱のフランジにボルトとナットで固定すると共に、上直階段外側側板の下端外面に垂直に複数の穴を開けた平板鋼板の側板固定鋼板を溶接により接合し、廻り階段ユニットの外側側板の上端に垂直に開けた複数の穴と前記側板固定鋼板に開けた穴を当接させボルトとナットで固定したことにより、上直階段ユニットを第１支柱と第２支柱と廻り階段ユニットにボルトとナットで簡単に固定することが可能となった。【００１４】  請求項４に記載の発明によれば、下直階段ユニットの下直階段内側側板を、Ｈ形鋼で形成した第１支柱と第２支柱のフランジにボルトとナットで固定すると共に、下直階段外側側板の上端外側に垂直に複数の穴を開けた平板鋼板の側板固定鋼板を溶接により接合し、廻り階段ユニットの外側側板の下端に垂直に開けた複数の穴と前記側板固定鋼板に開けた穴を当接させボルトとナットで固定したことにより、下直階段ユニットを第１支柱と第２支柱と廻り階段ユニットにボルトとナットで簡単に固定することが可能となった。
【実施例】
【００１５】  以下、この発明の実施の形態について説明する。
［発明の実施の形態］【００１６】  図１乃至図１２には、この発明の実施の形態を示す。【００１７】  図１は、廻り階段１を支えるための２本のＨ形鋼で形成した第１支柱３（断面寸法は、縦＝１００ｍｍ、横＝１００ｍｍ、ウェブ厚さ＝６ｍｍ、フランジ厚さ＝８ｍｍ）と第２支柱７（断面寸法は、縦＝１００ｍｍ、横＝１００ｍｍ、ウェブ厚さ＝６ｍｍ、フランジ厚さ＝８ｍｍ）と、廻り階段１を構成する下直階段ユニット３３（図２で示す）の下直階段踏板１０ａ、１０ｂ、１０ｃ、１０ｄと、その下直階段踏板１０ａ、１０ｂ、１０ｃ、１０ｄを両側から支える厚さ９ｍｍで平板状の下直階段内側側板１１と厚さ９ｍｍで平板状の下直階段外側側板１２と、下直階段ユニット３３を階段ユニット３２の厚さ９ｍｍで平板状の外側廻り側板１７ａにボルト１４とナット１５で固定するため下直階段外側側板１２の外側端部に溶接により接合した厚さ９ｍｍで平板状の側板固定鋼板１３と、さらに廻り階段１の折り返し部を１８０°折り返すように５ツ割りで構成した廻り階段ユニット３２（図２で示す）の廻り踏板１６ａ、１６ｂ、１６ｃ、１６ｄ、１６ｅと、その廻り踏板１６ａ、１６ｂ、１６ｃ、１６ｄ、１６ｅを内側から支えるコの字形側板２３と、廻り踏板１６ａ、１６ｂ、１６ｃ、１６ｄ、１６ｅを外側から支える厚さ９ｍｍで平板状の外側廻り側板１７ａ、１７ｂ、１７ｃ、１７ｄ、１７ｅと、さらに廻り階段１を構成する上直階段ユニット３１（図２で示す）の上直階段踏板２０ａ、２０ｂ、２０ｃと、その上直階段踏板２０ａ、２０ｂ、２０ｃを外側から支える厚さ９ｍｍで平板状の上直階段外側側板２１と、内側から支える厚さ９ｍｍで平板状の上直階段内側側板２２と、上直階段ユニット３１を階段ユニット３２の外側廻り側板１７ｅにボルト１９とナット６０（図５で示す）で固定するため上直階段外側側板２１の外側端部に溶接により接合した厚さ９ｍｍで平板状の側板固定鋼板１８と、このように構成した上直階段ユニット３１をボルト１９とナット６０（図５、図６で示す）で廻り階段ユニット３２に固定し、さらに上直階段ユニット３１の上直階段内側側板２２を第１支柱３のフランジ４と第２支柱７のフランジ６にボルト９、６３（図５、図６で示す）とナット８、６４（図５、図６で示す）で固定すると共に、下直階段ユニット３３をボルト１４とナット１５で廻り階段ユニット３２に固定し、さらに下直階段ユニット３３の下直階段内側側板１１を第１支柱３のフランジ４と第２支柱７のフランジ６にボルト２７、２８とナット６１（図５、図６で示す）、６８（図５、図６で示す）で固定し、さらに廻り階段ユニット３２のコの字形側板２３を第１支柱３に取り付けた支柱固定鋼板２５にボルト２６とナット６２（図５、図６で示す）で固定した状態を示す。【００１８】  図２は、図１で説明した第１支柱３、第２支柱７から、上直階段ユニット３１と廻り階段ユニット３２と下直階段ユニット３３を分離した状態を斜視図で示す。上直階段ユニット３１を第１支柱３と第２支柱７にボルトとナットで固定するための、第１支柱３のフランジ４に開けた穴（図示せず）と第２支柱７のフランジ６に開けた穴５０（図４で示す）に相対する上直階段内側側板２２の位置に開けた穴３８���４４を示すと共に、上直階段ユニット３１を廻り階段ユニット３２にボルト１９（図１で示す）とナット６０（図５で示す）で固定するため、上階段外側側板２１の端部外側に縦に４個の穴３４を開けた厚さ９ｍｍの側板固定鋼板１８を溶接により接合すると共に、側板固定鋼板１８の４個の穴３４に相対する廻り階段ユニット３２の外側廻り側板１７ｅの端部にも側板固定鋼板１８の穴３４に相対する位置に縦に４個の穴３５を開け、図１で示したように上階段外側側板２１の端部と外側廻り側板１７ｅを当接させ、外側廻り側板１７ｅと側板固定鋼板１８をボルト１９とナット６０（図５で示す）で固定することにより上直階段ユニット３１と廻り階段ユニット３２を固定することが可能になる。さらに廻り階段ユニット３２のコの字形側板２３に長方形をした厚さ９ｍｍの平板鋼板で上部と下部にそれぞれ菱形状に４個の穴３６、４９（図４で示す）を開けた側板固定鋼板２４を溶接により接合させると共に、側板固定鋼板２４と相対する第１支柱３のフランジ４の両端部に側板固定鋼板２４の菱形状の４個の穴３６、４９（図４で示す）と相対する位置に穴３７、４７（図４で示す）を開けた長方形をした厚さ９ｍｍの支柱固定鋼板２５、４８（図４で示す）を溶接で接合させ、さらに下直階段ユニット３３を廻り階段ユニット３２に固定するため、下直階段ユニット３３の下直階段外側側板１２の上端部外側に縦に４個の穴４２を開けた厚さ９ｍｍの側板固定鋼板１３を溶接により接合すると共に、側板固定鋼板１３の４個の穴４２に相対する廻り階段ユニット３２の外側廻り側板１７ａの端部にも側板固定鋼板１３の穴４２に相対する位置に縦に４個の穴４１を開け、図１で示したように下階段外側側板１２の端部と外側廻り側板１７ａを当接させ外側廻り側板１７ａと側板固定鋼板１３をボルト１４（図１で示す）とナット１５（図１で示す）で固定することにより下直階段ユニット３３と廻り階段ユニット３２を固定することが可能になった。さらに第１支柱３のフランジ４に開けた穴３９と第２支柱７のフランジ６に開けた穴５０（図４で示す）に相対する下直階段ユニット３３の下直階段内側側板１１に穴４０、４５を開け、ボルト２７（図１で示す）、ボルト２８（図１で示す）とナット６１（図５で示す）、ナット６８（図５で示す）で固定することにより下直階段ユニット３３と廻り階段ユニット３２を固定することが可能になった。【００１９】  図３は、図２で説明した廻り階段１から、第１支柱３、第２支柱７を撤去した状態を示す。このように図示することにより、階段部を構成する３分割した上直階段ユニット３１と廻り階段ユニット３２と下直階段ユニット３３の形状を明確に示すことが可能となった。【００２０】  図４は、図２で説明したコの字形側板２３と側板固定鋼板２４と支柱固定鋼板２５、４８の構成を斜視図で示す。コの字形側板２３は長方形をした厚さ９ｍｍ、縦１３００ｍｍ、横１２０ｍｍの平板状の前面側板５２と、厚さ９ｍｍ、縦１３００ｍｍ、横４２ｍｍで長方形をした平板状の２枚の横面側板５１、５３をコの字形に形成して溶接で接合させると共に、このように接合したコの字形側板２３を、長方形で上部と下部に菱形状に４個の穴３６、４９を開けた厚さ９ｍｍ、縦１７００ｍｍ、横１２０ｍｍの平板鋼板で成形した側板固定鋼板２４の上下中央部に溶接で接合すると共に、側板固定鋼板２４の上部と下部に開けた４個の菱形状の穴３６、４９と相対する位置に４個の穴３７、４７を開けた厚さ９ｍｍ、縦２００ｍｍ、横１２０ｍｍの長方形をした上下２枚の支柱固定鋼板２５、４８を溶接で第１支柱３の縦２本のフランジ４の両端部に溶接で接合させ、側板固定鋼板２４をボルト２６（図１、図５で示す）とナット６２（図５で示す）で固定することにより、廻り階段ユニット３２を第１支柱３に簡単に固定することが可能となった。【００２１】  図５は、図２で説明した第１支柱３、第２支柱７と、上直階段ユニット３１と廻り階段ユニット３２と下直階段ユニット３３を組み立てる前の状態を平面図で示す。このように廻り階段１を３分割して上直階段ユニット３１と廻り階段ユニット３２と下直階段ユニット３３で構成し、さらに廻り踏み板を５ツ割りで構成した廻り階段ユニット３２の内側側板をコの字形をしたコの字形側板２３で成形し、コの字形側板２３の両端部を平板鋼板を長方形に成形した側板固定鋼板２４に溶接で固定して廻り階段ユニット３２の内側側板を形成させることにより、廻り階段ユニット３２を工事現場で第１支柱３に取り付ける際、第１支柱３に固定した側板取付用の支柱固定鋼板２５、４８（図４で示す）にボルト２６（図１、図６で示す）とナット６２（図６で示す）で容易に取り付けることが可能になると共に、廻り階段ユニット３２と上直階段ユニット３１を固定する際も、上直階段ユニット３１の上直階段外側側板２１の下端部外側に溶接で固定した縦に４個の穴３４（図２で示す）を開けた側板固定鋼板１８に、廻り階段ユニット３２の外側廻り側板１７ｅの端部に側板固定鋼板１８の穴３４（図２で示す）に相対する位置に縦に４個の穴３５（図２で示す）を開け、上直階段ユニット３１の上直階段外側側板２１の端部と廻り階段ユニット３２の外側廻り側板１７ｅの端部を当接させ、ボルト１９（図１で示す）とナット６０（図５、図６で示す）で外側廻り側板１７ｅを側板固定鋼板１８に固定すると共に、上直階段ユニット３１の上直階段内側側板２２の、第１支柱３のフランジ４と第２支柱７のフランジ６に当接する部分に穴３８、４４（図２で示す）を開けボルト９、６３とナット８、６４（図５、図６で示す）で上直階段内側側板２２を第１支柱３と第２支柱７に固定することにより上直階段ユニット３１を第１支柱３と第２支柱７に容易に取り付けることが可能になると共に、同様に、下直階段ユニット３３の下直階段外側側板１２の端部外側に溶接で取り付けた側板固定鋼板１３と、廻り階段ユニット３２の外側廻り側板１７ａをボルト１４とナット１５（図１、図６で示す）で側板固定鋼板１３に固定することにより下直階段ユニット３３を第１支柱３と第２支柱７に容易に取り付けることが可能になった。このように廻り階段を３分割して工場で製造することにより加工精度の高い階段ユニットを製作することが出来るようになると共に、交通量の多い道路に面した工事現場でもクレーン等を使用することにより短時間で組み立てることが可能となった。【００２２】  図６は、図５で説明した上直階段ユニット３１��廻り階段ユニット３２と下直階段ユニット３３を矢印６５、６６、６７（図５で示す）で示す方向に移動し、上直階段ユニット３１と廻り階段ユニット３２と下直階段ユニット３３をボルト９、２６、２７、２８、６３とナット８、６１、６２、６４、６８で第１支柱３と第２支柱７に固定した状態を示す。【００２３】  図７は、図１で説明した廻り階段ユニット３２の廻り踏板１６ａ、１６ｂ、１６ｃ、１６ｄ、１６ａをコの字形側板２３から分離して、廻り踏板１６ａ、１６ｂ、１６ｃ、１６ｄ、１６ａを個別に分解した状態を平面図で示すと共に、コの字形側板２３と側板固定鋼板２４を平面図で示す。【００２４】  図８は、図７で説明した廻り１段目７５（鉄骨階段の踏板と蹴込み板が一体となるように平板鋼板を折り曲げて成形した部材）を示す。図８ａは廻り１段目７５を構成する廻り踏板１６ａと蹴込み板８６を厚さ４．５ｍｍの平板鋼板で外形寸法に合わせて平板形状に形取りした状態を示す。一点鎖線で示した折曲線８５は、図８ｂの斜視図で示すように形取りした平板鋼板を階段形状に折り曲げる際の折り曲げ線を示す。蹴込み板８６は長方形の形状で、折曲線８５の長さは７６１ｍｍ、隣り合う辺８８ｈの長さは２１０ｍｍで折曲線８５と辺８８ｈの交わる角度は９０°である。さらに隣り合う辺８８ａの長さは７６１ｍｍで辺８８ｈと辺８８ａの交わる角度は９０°である。さらに隣り合う辺８８ｂの長さは２１０ｍｍで辺８８ａと辺８８ｂの交わる角度は９０°である。さらに隣り合う折曲線８５と辺８８ｂが交わる角度は９０°である。さらに隣り合う辺８８ｃの長さは５７６ｍｍで折曲線８５と辺８８ｃの交わる角度は９０°である。さらに隣り合う辺８８ｄの長さは３４ｍｍで辺８８ｃと辺８８ｄの交わる角度は１１５°である。さらに隣り合う辺８８ｅの長さは９１９ｍｍで辺８８ｅと辺８８ｄが交わる角度は１２０°である。さらに隣り合う辺８８ｆの長さは２４ｍｍで辺８８ｆと辺８８ｅの交わる角度は３５°である。さらに隣り合う辺８８ｇの長さは６３ｍｍで辺８８ｆと辺８８ｇの交わる廻り踏板１６ａの外側の角度は９０°である。さらに隣り合う辺８８ｇと折曲線８５の交わる角度は９０°である。【００２５】  図８ｂは、図８ａで説明した厚さ４．５ｍｍの平板鋼板で外形寸法に合わせて平板状に形取りした廻り１段目７５の蹴込み板８６を、廻り踏板１６ａに対して折曲線８５の位置で８２°の曲げ角度８７で斜め下側に折り曲げることにより図８ｂの斜視図で示すように廻り１段目７５が形成される。【００２６】  図９は、図７で説明した廻り２段目７６（鉄骨階段の踏板と蹴込み板が一体となるように平板鋼板を折り曲げて成形した部材）を示す。図９ａは廻り２段目７６を構成する廻り踏板１６ｂと蹴込み板９１を厚さ４．５ｍｍの平板鋼板で外形寸法に合わせて平板形状に形取りした状態を示す。一点鎖線で示した折曲線９０は、図９ｂの斜視図で示すように形取りした平板鋼板を階段形状に折り曲げる際の折り曲げ線を示す。蹴込み板９１は四角形の形状で、折曲線９０の長さは９２９ｍｍ、隣り合う辺９３ｈの長さは２１０ｍｍで折曲線９０と辺９３ｈの交わる角度は８４°である。さらに隣り合う辺９３ａの長さは８９１ｍｍで辺９３ｈと辺９３ａの交わる角度は９６°である。さらに隣り合う辺９３ｂの長さは２１０ｍｍで辺９３ａと辺９３ｂの交わる角度は９５°である。さらに隣り合う折曲線９０と辺９３ｂが交わる角度は８５°である。さらに隣り合う辺９３ｃの長さは６００ｍｍで折曲線９０と辺９３ｃの交わる角度は６０°である。さらに隣り合う辺９３ｄの長さは３２ｍｍで辺９３ｃと辺９３ｄの交わる角度は１１５°である。さらに隣り合う辺９３ｅの長さは８０９ｍｍで辺９３ｅと辺９３ｄが交わる角度は１０８°である。さらに隣り合う辺９３ｆの長さは７０ｍｍで辺９３ｆと辺９３ｅの交わる角度は７２°である。さらに隣り合う辺９３ｇの長さは２０ｍｍで辺９３ｆと辺９３ｇの交わる廻り踏板１６ｂの外側の角度は９０°である。さらに隣り合う辺９３ｇと折曲線９０の交わる角度は５５°である。【００２７】  図９ｂは、図９ａで説明した厚さ４．５ｍｍの平板鋼板で外形寸法に合わせて平板状に形取りした廻り２段目７６の蹴込み板９１を、廻り踏板１６ｂに対して折曲線９０の位置で８２°の曲げ角度９２で斜め下側に折り曲げることにより図９ｂの斜視図で示すように廻り２段目７６が形成される。【００２８】  図１０は、図７で説明した廻り３段目７７（鉄骨階段の踏板と蹴込み板が一体となるように平板鋼板を折り曲げて成形した部材）を示す。図１０ａは廻り３段目７７を構成する廻り踏板１６ｃと蹴込み板９６を厚さ４．５ｍｍの平板鋼板で外形寸法に合わせて平板形状に形取りした状態を示す。一点鎖線で示した折曲線９５は、図１０ｂの斜視図で示すように形取りした平板鋼板を階段形状に折り曲げる際の折り曲げ線を示す。蹴込み板９６は四角形の形状で、折曲線９５の長さは８０９ｍｍ、隣り合う辺９８ｇの長さは２２０ｍｍで折曲線９５と辺９８ｇの交わる角度は９３°である。さらに隣り合う辺９８ａの長さは８０９ｍｍで辺９８ｇと辺９８ａの交わる角度は８７°である。さらに隣り合う辺９８ｂの長さは２２０ｍｍで辺９８ａと辺９８ｂの交わる角度は９３°である。さらに隣り合う折曲線９５と辺９８ｂが交わる角度は８７°である。さらに隣り合う辺９８ｃの長さは５５３ｍｍで折曲線９５と辺９８ｃの交わる角度は７２°である。さらに隣り合う辺９８ｄの長さは３０ｍｍで辺９８ｃと辺９８ｄの交わる角度は１５５°である。さらに隣り合う辺９８ｅの長さは７９６ｍｍで辺９８ｅと辺９８ｄが交わる角度は９７°である。さらに隣り合う辺９８ｆの長さは７３ｍｍで辺９８ｆと辺９８ｅの交わる角度は１０８°である。さらに隣り合う辺９８ｆと折曲線９５の交わる角度は１０８°である。【００２９】  図１０ｂは、図１０ａで説明した厚さ４．５ｍｍの平板鋼板で外形寸法に合わせて平板状に形取りした廻り３段目７７の蹴込み板９６を、廻り踏板１６ｃに対して折曲線９５の位置で８２°の曲げ角度９７で斜め下側に折り曲げることにより図１０ｂの斜視図で示すように廻り２段目７６が形成される。【００３０】  図１１は、図７で説明した廻り４段目７８（鉄骨階段の踏板と蹴込み板が一体となるように平板鋼板を折り曲げて成形した部材）を示す。図１１ａは廻り４段目７８を構成する廻り踏板１６ｄと蹴込み板１０１を厚さ４．５ｍｍの平板鋼板で外形寸法に合わせて平板形状に形取りした状態を示す。一点鎖線で示した折曲線１００は、図１１ｂの斜視図で示すように形取りした平板鋼板を階段形状に折り曲げる際の折り曲げ線を示す。蹴込み板１０１は四角形の形状で、折曲線１００の長さは８０９ｍｍ、隣り合う辺１０３ｈの長さは２２０ｍｍで折曲線１００と辺１０３ｈの交わる角度は８７°である。さらに隣り合う辺１０３ａの長さは７９５ｍｍで辺１０３ｈと辺１０３ａの交わる角度は９３°である。さらに隣り合う辺１０３ｂの長さは２２０ｍｍで辺１０３ａと辺１０３ｂの交わる角度は９１°である。さらに隣り合う折曲線１００と辺１０３ｂが交わる角度は８９°である。さらに隣り合う辺１０３ｃの長さは６００ｍｍで折曲線１００と辺１０３ｃの交わる角度は８３°である。さらに隣り合う辺１０３ｄの長さは３７ｍｍで辺１０３ｃと辺１０３ｄの交わる角度は１１５°である。さらに隣り合う辺１０３ｅの長さは９２９ｍｍで辺１０３ｄと辺１０３ｅが交わる角度は１２５°である。さらに隣り合う辺１０３ｆの長さは５７ｍｍで辺１０３ｆと辺１０３ｅの交わる角度は５５°である。さらに隣り合う辺１０３ｇの長さは３９ｍｍで辺１０３ｆと辺１０３ｇの交わる廻り踏板１６ｄの外側の角度は９０°である。さらに隣り合う辺１０３ｇと折曲線１００の交わる角度は７２°である。【００３１】  図１１ｂは、図１１ａで説明した厚さ４．５ｍｍの平板鋼板で外形寸法に合わせて平板状に形取りした廻り４段目７８の蹴込み板１０１を、廻り踏板１６ｄに対して折曲線１００の位置で８２°の曲げ角度１０２で斜め下側に折り曲げることにより図１１ｂの斜視図で示すように廻り４段目７８が形成される。【００３２】  図１２は、図７で説明した廻り５段目７９（鉄骨階段の踏板と蹴込み板が一体となるように平板鋼板を折り曲げて成形した部材）を示す。図１２ａは廻り５段目７９を構成する廻り踏板１６ｅと蹴込み板１０６を厚さ４．５ｍｍの平板鋼板で外形寸法に合わせて平板形状に形取りした状態を示す。一点鎖線で示した折曲線１０５は、図１２ｂの斜視図で示すように形取りした平板鋼板を階段形状に折り曲げる際の折り曲げ線を示す。蹴込み板１０６は四角形の形状で、折曲線１０５の長さは９２９ｍｍ、隣り合う辺１０８ｆの長さは２２０ｍｍで折曲線１０５と辺１０８ｆの交わる角度は９６°である。さらに隣り合う辺１０８ａの長さは９２９ｍｍで辺１０８ｆと辺１０８ａの交わる角度は８４°である。さらに隣り合う辺１０８ｂの長さは２２０ｍｍで辺１０８ａと辺１０８ｂの交わる角度は９６°である。さらに隣り合う折曲線１０５と辺１０８ｂが交わる角度は８４°である。さらに隣り合う辺１０８ｃの長さは６０６ｍｍで折曲線１０５と辺１０８ｃの交わる角度は５５°である。さらに隣り合う辺１０８ｄの長さは７６１ｍｍで辺１０８ｃと辺１０８ｄの交わる角度は９０°である。さらに隣り合う辺１０８ｅの長さは７３ｍｍで辺１０８ｅと辺１０８ｄが交わる角度は９０°である。さらに隣り合う辺１０８ｅと折曲線１０５の交わる角度は１２５°である。【００３３】  図１２ｂは、図１０ａで説明した厚さ４．５ｍｍの平板鋼板で外形寸法に合わせて平板状に形取りした廻り５段目７９の蹴込み板１０６を、廻り踏板１６ｅに対して折曲線１０５の位置で８２°の曲げ角度１０７で斜め下側に折り��げることにより図１２ｂの斜視図で示すように廻り５段目７９が形成される。【００３４】  以上、実施の形態に基づいて、本発明に係る３分割ユニット組立式の鉄骨階段について詳細に説明してきたが、本発明は、以上の実施の形態に限定されるものではなく、発明の趣旨を逸脱しない範囲において各種の改変をなしても、本発明の技術的範囲に属するのはもちろんである。
【図面の簡単な説明】
【００３５】
【図１】本発明の実施の形態に係る、折り返し部を１８０°折り返すように構成した廻り階段を斜視図で示す。
【図２】同実施の形態に係る、図１で示した廻り階段を３分割して支柱と上直階段ユニットと廻り階段ユニットと下直階段ユニットで示す。
【図３】同実施の形態に係る、図２で示した廻り階段から支住を除いた上直階段ユニットと廻り階段ユニットと下直階段ユニットを示す。
【図４】同実施の形態に係る、図１で示した第１支柱と第２支柱と廻り階段ユニットを固定するためのコの字形側板を斜視図で示す。
【図５】同実施の形態に係る、図１で示した廻り階段を３分割した状態を平面図で示す。
【図６】同実施の形態に係る、図５で示した３分割した廻り階段を組み立てた状態を平面図で示す。
【図７】同実施の形態に係る、図５で示した廻り階段ユニットの廻り踏板を分解した状態を平面図で示す。
【図８】同実施の形態に係る、図７で示した廻り踏板の内の廻り１段目を示す。
【図９】同実施の形態に係る、図７で示した廻り踏板の内の廻り２段目を示す。
【図１０】同実施の形態に係る、図７で示した廻り踏板の内の廻り３段目を示す。
【図１１】同実施の形態に係る、図７で示した廻り踏板の内の廻り４段目を示す。
【図１２】同実施の形態に係る、図７で示した廻り踏板の内の廻り５段目を示す。
【符号の説明】
【００３６】１                  廻り階段
２                  踊り場
３                  第１支柱
４                  フランジ
６                  フランジ
７                  第２支柱
８                  ナット
９                  ボルト
１０ａ              下直階段踏板
１０ｂ              下直階段踏板
１０ｃ              下直階段踏板
１０ｄ              下直階段踏板
１１                下直階段内側側板
１２                下直階段外側側板
１３                側板固定鋼板
１４                ボルト
１５                ナット
１６ａ              廻り踏板
１６ｂ              廻り踏板
１６ｃ              廻り踏板
１６ｄ              廻り踏板
１６ｅ              廻り踏板
１７ａ              外側廻り側板
１７ｂ              外側廻り側板
１７ｃ              外側廻り側板
１７ｄ              外側廻り側板
１７ｅ              外側廻り側板
１８                側板固定鋼板
１９                ボルト
２０ａ              上直階段踏板
２０ｂ              上直階段踏板
２０ｃ              上直階段踏板
２１                上直階段外側側板
２２                上直階段内側側板
２３                コの字形側板
２４                側板固定鋼板
２５                支柱固定鋼板
２６                ボルト
２７                ボルト
２８                ボルト
３１                上直階段ユニット
３２                廻り階段ユニット
３３                下直階段ユニット
３４                穴
３５                穴
３６                穴
３７                穴
３８                穴
３９                穴
４０                穴
４１                穴
４２                穴
４３                穴
４４                穴
４５                穴
４７                穴
４８                支柱固定鋼板
４９                穴
５０                穴
５１                横面側板
５２                前面側板
５３                横面側板
６０                ナット
６１                ナット
６２                ナット
６３                ボルト
６４                ナット
６５                矢印
６６                矢印
６７                矢印
６８                ナット
７５                廻り１段目
７６                廻り２段目
７７                廻り３段目
７８                廻り４段目
７９                廻り５段目
８５                折曲線
８６                蹴込み板
８７                曲げ角度
８８ａ              辺
８８ｂ              辺
８８ｃ              辺
８８ｄ              辺
８８ｅ              辺
８８ｆ              辺
８８ｇ              辺
８８ｈ              辺
９０                折曲線
９１                蹴込み板
９２                曲げ角度
９３ａ              辺
９３ｂ              辺
９３ｃ              辺
９３ｄ              辺
９３ｅ              辺
９３ｆ              辺
９３ｇ              辺
９３ｈ              辺
９５                折曲線
９６                蹴込み板
９７                曲げ角度
９８ａ              辺
９８ｂ              辺
９８ｃ              辺
９８ｄ              辺
９８ｅ              辺
９８ｆ              辺
９８ｇ              辺
１００              折曲線
１０１              蹴込み板
１０２              曲げ角度
１０３ａ            辺
１０３ｂ            辺
１０３ｃ            辺
１０３ｄ            辺
１０３ｅ            辺
１０３ｆ            辺
１０３ｇ            辺
１０３ｈ            辺
１０５              折曲線
１０６              蹴込み板
１０７              曲げ角度
１０８ａ            辺
１０８ｂ            辺
１０８ｃ            辺
１０８ｄ            辺
１０８ｅ            辺
１０８ｆ            辺
【図１】
2019124104.tif 000003
【図２】
2019124104.tif 000004
【図３】
2019124104.tif 000005
【図４】
2019124104.tif 000006
【図５】
2019124104.tif 000007
【図６】
2019124104.tif 000008
【図７】
2019124104.tif 000009
【図８】
2019124104.tif 000010
【図９】
2019124104.tif 000011
【図１０】
2019124104.tif 000012
【図１１】
2019124104.tif 000013
【図１２】
2019124104.tif 000014